(57)【要約】  【課題】脱いだ上着類をずれ落ちることなく確実に保持することができ、しかも構造が極めて簡単で安価に製造することができるショルダー式ハンガーを提供する。  【解決手段】横方向に延びる本体５の両端部に、縦方向に延びる取付部６を本体５から上下に突出するように形成してなる掛け止め部材２と、取付部６の各上端部に両端部がそれぞれ取り付けられる可撓性を有する肩掛け部材３と、取付部６の各下端部に両端部がそれぞれ取り付けられる弾性を有する押さえ部材４とからなる。押さえ部材４に押さえられた上着類は、押さえ部材４の弾性により本体５の下方に向けて押し付けられるので、容易にずれ落ちることがない。また、取付部６が本体５の回転を抑えるように作用するので、この作用によっても上着類のずれ落ち防止を期待することができる。  【選択図】  図１
2008080051.tif 000002
【特許請求の範囲】
【請求項１】
横方向に延びる本体の両端部に、縦方向に延びる取付部を前記本体から上下に突出するように形成してなる掛け止め部材と、
前記取付部の各上端部に両端部がそれぞれ取り付けられる可撓性を有する肩掛け部材と、
前記取付部の各下端部に両端部がそれぞれ取り付けられる弾性を有する押さえ部材とからなることを特徴とするショルダー式ハンガー。
【請求項２】
前記掛け止め部材は、前記本体及び取付部ともに所定の幅を有する板状のものからなることを特徴とする請求項１記載のショルダー式ハンガー。
【請求項３】
前記本体は、その長手方向中間部で第１，第２の２つの部分に分割され、折り畳み自在となっていることを特徴とする請求項１又は２記載のショルダー式ハンガー。
【請求項４】
前記第１，第２の分割部の回転を阻止するためのストッパ機構が設けられていることを特徴とする請求項３記載のショルダー式ハンガー。
【請求項５】
前記本体は、前記第１，第２の分割部がそれらの幅方向に並列するように折り畳み自在となっていることを特徴とする請求項３又は４記載のショルダー式ハンガー。
【請求項６】
前記第１，第２の分割部は、両端部が各分割部にそれぞれ枢支されるリンクプレートによって互いに連結されていることを特徴とする請求項５記載のショルダー式ハンガー。
【請求項７】
前記押さえ部材は、少なくとも一方の端部が前記取付部に対し着脱自在であることを特徴とする請求項１〜６のいずれか１記載のショルダー式ハンガー。
【請求項８】
前記押さえ部材は、その中間部で第１，第２の２つの部分に分割され、これら第１，第２の分割部の各自由端部に該端部どうしを結合するために連結具が設けられていることを請求項１〜６のいずれか１記載のショルダー式ハンガー。
【発明の詳細な説明】
【技術分野】
【０００１】
この発明は、ショルダー式ハンガーに関し、さらに詳細には、外出時に上着などの衣類を掛け、肩から吊り下げた状態で携帯するためのショルダー式ハンガーに関する。
【背景技術】
【０００２】
一年中スーツを着用しているビジネスマンにとって夏は厳しい季節であり、外出時には上着を脱いで歩行することが多い。この場合、上着は折り曲げた腕に掛けて歩くようにするのが一般的である。しかし、このような歩行は片腕の自由を奪われ、何かと不便である。また、腕にかいた汗によって上着が密着し、不愉快でもある。
【０００３】
このようなことから、この出願人は先に、脱いだ上着を掛けて肩から吊り下げた状態で携帯することができるショルダー式ハンガーを提案した（特許文献１参照）。このハンガーは、棒部材に掛けた上着の自重を利用して、無端状肩掛け部材により上着を保持するという巧みな構造となっている。しかし、上着の自重のみではその保持力が充分ではなく、特に夏場の軽量の上着の場合には、ずれ落ちてしまうことが懸念される。また、上着類を棒部材に掛けるとき、保持部材が邪魔で取扱いが面倒であった。
【０００４】
掛け棒に掛けた上着をロック機構付きの紐で押さえる方式の携帯用ハンガーも開示されている（特許文献２参照）。しかし、このハンガーの場合も、押さえ力が充分とはいえず、歩行中の振動、ポケットに重い物が入っているときなど、バランスを欠いて上着がずれ落ちやすい。
【特許文献１】特開２００５−２０５１４８号公報
【特許文献２】特許第３３３０３３０号公報
【発明の開示】
【発明が解決しようとする課題】
【０００５】
この発明は上記のような技術的背景に基づいてなされたものであって、次の目的を達成するものである。
この発明の目的は、脱いだ上着類をずれ落ちることなく確実に保持することができ、しかも構造が極めて簡単で安価に製造することができるショルダー式ハンガーを提供することにある。
【課題を解決するための手段】
【０００６】
この発明は上記課題を達成するために、次のような手段を採用している。
すなわち、この発明は、横方向に延びる本体の両端部に、縦方向に延びる取付部を前記本体から上下に突出するように形成してなる掛け止め部材と、
前記取付部の各上端部に両端部がそれぞれ取り付けられる可撓性を有する肩掛け部材と、
前記取付部の各下端部に両端部がそれぞれ取り付けられる弾性を有する押さえ部材とからなることを特徴とするショルダー式ハンガーにある。
【０００７】
前記掛け止め部材は、前記本体及び取付部ともに所定の幅を有する板状のものからなる構成を採用するとよい。
【０００８】
前記本体は、その長手方向の中間部で第１，第２の２つの部分に分割され、折り畳み自在となっている構成とすることができる。この場合、前記第１，第２の分割部の回転を阻止するためのストッパ機構を設けるとよい。
【０００９】
前記本体は、前記第１，第２の分割部がそれらの幅方向に並列するように折り畳み自在となっている構成とすることができる。具体的には、前記第１，第２の分割部は、両端部が各分割部にそれぞれ枢支されるリンクプレートによって互いに連結されている構成が採用される。
【００１０】
前記押さえ部材は、少なくとも一方の端部が前記取付部に対し着脱自在である。前記押さえ部材は、その中間部で第１，第２の２つの部分に分割され、これら第１，第２の分割部の各自由端部に該端部どうしを結合するために連結具が設けられている構成とすることもできる。
【発明の効果】
【００１１】
この発明によれば、ハンガーに掛けた上着類を押さえ部材の簡単な操作だけで、ハンガーに保持し、あるいは取り外すことができる。そして、押さえ部材に押さえられた上着類は、押さえ部材の弾性により本体の下方に向けて押し付けられるので、容易にずれ落ちることがない。また、取付部が本体の回転を抑えるように作用するので、この作用によっても上着類のずれ落ち防止を期待することができ、したがって、上着類をハンガーに確実に保持することができる。しかも構造が極めて簡単で安価に製造することができる。また、掛け止め部材は、本体及び取付部ともに板状の部材とすることにより、一体成形することができる。
【発明を実施するための最良の形態】
【００１２】
図１は、この発明の実施形態を示す全体斜視図である。ショルダー式ハンガー１は、掛け止め部材２と、肩掛け部材３と、押さえ部材４とで構成される。図２は掛け止め部材２の詳細を示す図であり、（ａ）は正面図、（ｂ），（ｃ），（ｄ）は（ａ）のそれぞれＡ−Ａ線、Ｂ−Ｂ線、Ｃ−Ｃ線矢視断面図である。掛け止め部材２は、横方向に延びる本体５と、本体５の両端部に形成された縦方向に延びる取付部６とで構成されている。本体５及び取付部６は、いずれも所定の幅を有する板状のものからなっており、例えば、プラスチック材料や、木、あるいはアルミニウムなどの軽量な材料を成形加工して作ることができる。
【００１３】
掛け止め部材２を板状のものとしたのは、携帯時に嵩張らないようにするためである。しかし、その一方、本体５の上端縁にある程度の厚みがないと、上着類にしわが付きやすくなる。このため、本体５は上端縁に厚肉部７が形成され、Ｔ字形の断面となっている。取付部６は本体５の両端部に、本体５から上下に突出するように本体５と一体に成形されている。取付部６は本体５と別体に成形し、接着等、種々の方法により本体５に固着するようにしてもよい。この取付部６の上下端部に穴９，１０がそれぞれ設けられている。
【００１４】
図１に示すように、肩掛け部材３は中間部にパッド１１を有する可撓性のベルトであり、この肩掛け部材３の両端部にはナス環などからなる連結具１２が設けられている。この連結具１２を取付部６の上端穴９に取り付けることにより、肩掛け部材３が取付部６に着脱自在に取り付けられる。肩掛け部材３は、着脱自在とすることなく、取付部６に固定的に取り付けるようにしてもよい。
【００１５】
押さえ部材４は、ゴムベルトなどの弾性を有する部材からなっている。この押さえ部材４の一端は一方の取付部６の下端穴１０に固定されている。押さえ部材４の他端にはフック１７が設けられ、このフック１７を他方の取付部６の下端穴１０に掛けることにより、押さえ部材４の他端が取付部６に取り付けられる。
【００１６】
図３は、上記ショルダー式ハンガー１に上着類Ｗを掛けた状態を示している。上着類Ｗをハンガー１に掛けるには、押さえ部材４のフック１７を取付部６から取り外し、上着類Ｗをほぼ２つ折りにして袖を中央に引き寄せ、上着類の幅を狭くした状態で、本体５に掛ける。そして、押さえ部材４のフック１７を取付部６に下端穴１０に掛ける。上着類Ｗをハンガー１から取り外すには、フック１７を取付部６から取り外せばよい。このように、押さえ部材４の簡単な操作だけで、上着類Ｗをハンガー１に容易に掛け、あるいは容易に取り外すことができる。この押さえ部材４の操作は、肩掛け部材３を肩に掛けた状態でも、難なく行うことができる。
【００１７】
押さえ部材４に押さえられた上着類Ｗは、押さえ部材４の弾性により本体５の下方に向けて押し付けられるので、容易にずれ落ちることがない。また、上着類Ｗがずれ落ちようとするときは、本体５との摩擦により本体が回転しようとするが、肩掛け部材３が本体５から離間した取付部６の上端に取り付けられていることから、取付部６が本体５の回転を抑えるように作用する。すなわち、取付部６は、本体５の回転と逆方向の抵抗モーメントの腕の長さを長くし、抵抗モーメント大きくする役目をなす。したがって、上着類Ｗはハンガー１に確実に保持される。
【００１８】
図４は別の実施形態を示す図であり、（ａ）は正面図、（ｂ），（ｃ）はそれぞれ（ａ）のＤ−Ｄ線、Ｅ−Ｅ線矢視断面図である。この実施形態は本体５を折り畳み自在として、コンパクトに収納できるようにしたものである。このため本体５は、中間部で２分割され、第１，第２の分割部５ａ，５ｂからなっている。第１，第２の分割部５ａ，５ｂの両面にはリンクプレート１３が配置され、これらのリンクプレート１３の両端部はピン１４を介して第１，第２の分割部５ａ，５ｂに枢支されている。なお、この実施形態では、本体５に図２に示したような厚肉部７は形成されていない。この実施形態の場合も、本体５は、分割部５ａ，５ｂごとに取付部６と一体成形できる。
【００１９】
ハンガー１の使用の際に、第１，第２の分割部５ａ，５ｂの回転を阻止するためのストッパ機構が設けられている。このストッパ機構は、第１の分割部５ａの先端下部、第２の分割部５ｂの先端上部にそれぞれ形成された突起１５ａ，１５ｂと、突起１５ａ，１５ｂに対応してリンクプレート１３にそれぞれ形成された凹部１６ａ，１６ｂとからなっている。突起１５ａ，１５ｂが凹部１６ａ，１６ｂに嵌り込み、互いに係合することにより、リンクプレート１３を介して第１，第２の分割部５ａ，５ｂが一体的に固定され、第１，第２の分割部５ａ，５ｂの回転が阻止される。また、第１の分割部５ａには、本体５の折り畳み時に、リンクプレート１３の凹部１６ｂと嵌り合う突起１５ｃが設けられている。
【００２０】
図５は、本体５を折り畳むときの操作を示す図である。まず、（ａ）に示すように、第１の分割部５ａを手で抑えて、第２の分割部５ｂを図中時計方向に回動するように下方に押し下げる。すると、第２の分割部５ｂの突起１５ｂがリンクプレート１３の凹部１６ｂから離脱する。そして、（ｂ）に示すように、第２の分割部５ｂをリンクプレート１３が図中反時計方向に回動するように上方に押し上げると、今度は第１の分割部５ａの突起１５ａがリンクプレート１３の凹部１６ａから離脱する。
【００２１】
そして、（ｃ）に示すように、リンクプレート１３の反時計方向回動を介して、第２の分割部５ｂを平行移動させ、（ｄ）に示すように、第１の分割部５ａと並列させる。このとき、第１の分割部５ａの突起１５ｃがリンクプレート１３の凹部１６ｂに嵌り込むので、折り畳み状態を保持できる。このような本体５の折り畳み形態は、第１，第２の分割部５ａ，５ｂがそれらの幅方向に並列する形態であるので、厚みを増すことがなく、したがって折り畳んだハンガー１を上着類の胸ポケット等に収納することができる。
【００２２】
図６は、さらに別の実施形態を示し、（ａ）は平面図、（ｂ）は正面図、（ｃ）は背面図である。この実施形態は、本体５を折り畳み自在とする手段の別の例である。第１，第２の分割部５ａ，５ｂは、それらの対向端部の背面に配置されたヒンジプレート２１によって互いに連結されている。第１，第２の分割部５ａ，５ｂの対向端部の前面には凸部２２，２３がそれぞれ設けられている。また、分割部５ａ，５ｂの一方、この実施形態では第２の分割部５ｂにはコ字形のロック部材２４がピン２５により枢支されている。この実施形態では、これらの凸部２２，２３及びロック部材２４がストッパ機構を形成している。
【００２３】
ロック部材２４は第１，第２の分割部５ａ，５ｂの面に沿って回動自在であり、図中反時計方向に回動させると、凸部２２，２３の双方に跨るようにして、これら凸部２２，２３に係合する。これにより、第１，第２の分割部５ａ，５ｂが一体的に固定され、第１，第２の分割部５ａ，５ｂの回転が阻止される。
【００２４】
本体５を折り畳むときは、図７に示すように、ロック部材２４を時計方向に回動させて凸部２２，２３との係合を解除する。そして、第１の分割部５ａに対して第２の分割部５ｂを回動させることにより、本体５を折り畳む。折り畳んだ後は、ロック部材２４を鎖線で示す位置のもたらす。この実施形態の折り畳み形態は、分割部５ａ，５ｂが厚み方向に並列する形態であるので、厚みが増すことになる。しかし、その一方、面積が上記実施形態よりも小さくなるという利点がある。
【００２５】
図８は、別の実施形態を示し、（ａ）は正面図、（ｂ）は下面図である。この実施形態は、具体的には、押さえ部材４の別の例である。押さえ部材４は、中間部で２分割され、第１，第２の分割部４ａ，４ｂからなっている。第１，第２の分割部４ａ，４ｂの端部は取付部６の長穴とされた下端穴１０に通され、固定されている。第１，第２の分割部４ａ，４ｂの他端自由端部は連結具２０によって着脱自在に互いに連結される。連結具２０としては、互いに嵌り合うオス部２０ａ及びメス部２０ｂからなるワンタッチ式のバックルを用いることができる。
【図面の簡単な説明】
【００２６】
【図１】この発明の実施形態を示す斜視図である。
【図２】本体の詳細を示す図である。
【図３】同実施形態のハンガーに上着類を掛けた状態を示す図である。
【図４】別の実施形態を示す図である。
【図５】同実施形態のハンガーの折り畳み操作を示す図である。
【図６】別の実施形態を示す図である。
【図７】同実施形態のハンガーの折り畳み操作を示す図である。
【図８】別の実施形態を示す図である。
【符号の説明】
【００２７】
１      ショルダー式ハンガー
２      掛け止め部材
３      肩掛け部材
４      押さえ部材
４ａ，４ｂ      分割部
５      本体
５ａ，５ｂ      分割部
６      取付部
９      上端穴
１０      下端穴
１２      連結具
１３      リンクプレート
１５ａ，１５ｂ      突起
１６ａ，１６ｂ      凹部
１７      フック
２０      連結具
【図１】
2008080051.tif 000003
【図２】
2008080051.tif 000004
【図３】
2008080051.tif 000005
【図４】
2008080051.tif 000006
【図５】
2008080051.tif 000007
【図６】
2008080051.tif 000008
【図７】
2008080051.tif 000009
【図８】
2008080051.tif 000010